(57)【要約】【課題】屋根上に張設された親綱の張設位置を変更することなく屋根の勾配面の全範囲にわたって作業位置を変更することができるようにして、屋根上での作業を安全に能率よく行なうことができるようにした屋根作業用安全装置を提供することである。【解決手段】親綱４を屋根１の棟２に沿って張設し、その親綱４にロープ巻取器２０をスライド自在に連結する。屋根１上での作業に際し、作業者の腰部に高所作業用安全帯５０を巻き付け、その高所作業用安全帯５０にロープ巻取器２０から引き出された帯状ロープ２３の先端部を連結して安全性を確保し、ロープ巻取器２０の親綱４に沿っての移動と、ロープ巻取器２０からの帯状ロープ２３の繰出しとによって屋根１の勾配面の全体にわたって作業位置を変更できるようにする。【選択図】図１
2012026162.tif 000002
【特許請求の範囲】
【請求項１】
屋根の棟にほぼ平行に張設された親綱と、その親綱に沿って長さ方向に移動可能に連結され、内部に組込まれたロープ巻取リールが帯状ロープの巻取り方向に付勢され、そのロープ巻取リールから帯状ロープが急速に引き出された際にロープ巻取リールをロックして帯状ロープの引き出しを停止するロック機能を有するロープ巻取器と、そのロープ巻取器を支持し、屋根の上面に沿って転動可能なキャスタを下面に有する台車とからなり、前記ロープ巻取器から引き出された帯状ロープの先端部を作業者に装着された高所作業用安全帯に対して係脱自在とした屋根上作業安全装置。
【発明の詳細な説明】
【技術分野】
【０００１】
この発明は、建物の屋根上で作業する作業者の墜落事故の防止を図る屋根作業用安全装置に関する。
【背景技術】
【０００２】
一般に、瓦やスレート瓦、カラー鋼板等の屋根葺材の葺き替えや既存の屋根上にソーラーパネル等を設置する屋根上での作業は極めて危険であるため、安全性を確保することが行なわれる。
【０００３】
その安全性の確保に際して、普通、屋根上に親綱を張設し、その親綱に作業者の腰部に巻き付けられた高所作業用安全帯から延びるフック付きロープの先端の安全フックを掛けて安全性を確保することが行なわれる。
【０００４】
この場合、親綱は、棟の長さ方向に沿って張設される場合と、棟を横切る方向に張設される場合とがあり、棟を横切るように親綱を張設する場合には、その親綱に任意の位置で固定し得る金具（グリップ）を取り付け、そのグリップにフック付きロープの先端の安全フックを連結して安全性を確保することが行なわれる。
【０００５】
しかし、棟に沿って親綱を張設する場合、棟の長さ方向に容易に移動することができるものの、高所作業用安全帯に接続されたフック付きロープの長さが１．７ｍ程度であるため、屋根の勾配方向への移動範囲が狭く、軒先部での作業ができない場合が生じるため、屋根の勾配方向に作業位置を変更する場合、屋根の勾配方向に親綱の張設位置を変更する必要があり、作業能率を低下させることになる。
【０００６】
一方、棟を横切るように親綱を張設した場合、屋根の勾配方向に容易に位置を変更することができるものの、横方向への移動範囲が狭く、棟の長さ方向に作業位置を変更する場合、棟の長さ方向に親綱の張設位置を変更する必要があり、作業能率を低下させることになる。
【０００７】
ここで、特許文献１には、巻取式命綱を用いて屋根上の全ての範囲にわたって作業位置を変更することができるようにした屋根作業用安全装置が提案されている。
【先行技術文献】
【特許文献】
【０００８】
【特許文献１】特開２００４−１８３３０５号公報
【発明の概要】
【発明が解決しようとする課題】
【０００９】
ところで、特許文献１に記載された屋根作業用安全装置においては、建物棟部の屋根葺材の一部を剥がし取って棟木の一部を露出させ、その露出部分に支柱固定部材を取り付けて支柱を立て、その支柱によって巻取式命綱を回転自在に取り付けるようにしているため、作業が屋根の解体に限定され、屋根葺材の葺き替えや、既存の屋根にソーラーパネルを設置する等の屋根上での作業を行なうことができないという不都合がある。
【００１０】
この発明の課題は、屋根上に張設された親綱の張設位置を変更することなく屋根の勾配面の全範囲にわたって作業位置を任意に変更することができるようにして、屋根葺材の葺き替えや、既存の屋根にソーラーパネルを設置する等の屋根上での作業を安全に能率よく行なうことができるようにした屋根作業用安全装置を提供することである。
【課題を解決するための手段】
【００１１】
上記の課題を解決するために、この発明においては、屋根の棟にほぼ平行に張設された親綱と、その親綱に沿って長さ方向に移動可能に連結され、内部に組込まれたロープ巻取リールが帯状ロープの巻取り方向に付勢され、そのロープ巻取リールから帯状ロープが急速に引き出された際にロープ巻取リールをロックして帯状ロープの引き出しを停止するロック機能を有するロープ巻取器と、そのロープ巻取器を支持し、屋根の上面に沿って転動可能なキャスタを下面に有する台車とからなり、前記ロープ巻取器から引き出された帯状ロープの先端部を作業者に装着された高所作業用安全帯に対して係脱自在とした構成を採用したのである。
【００１２】
ここで、親綱は、屋根の妻面側の両端部から起立する対向一対の支柱の上部端部間に渡し、あるいは、建物の周囲に組まれた足場枠の上部間に渡して、屋根の上面と間隔のある張設としてもよい。また、屋根上面の妻面側の両端部に取付けられた金属板の折曲げからなるロープ連結金具に両端部を連結して屋根の上面に沿う張設としてもよい。
【００１３】
また、高所作業用安全帯は、胴ベルトタイプのものであってもよく、あるいは、ハーネスタイプのものであってもよい。
【００１４】
上記の構成からなる屋根作業用安全装置において、ロープ巻取器から引き出された帯状ロープの先端部を作業者に装着された高所作業用安全帯に係合することにより、作業者が棟の長さ方向に移動すると、帯状ロープを介してロープ巻取器に引張り力が付与されるため、そのロープ巻取器が親綱に沿って移動し、また、作業者が屋根の勾配に沿って軒先方向に移動すると、ロープ巻取器から帯状ロープが引き出されるため、屋根の勾配面の全体にわたって作業位置を変更することができ、その位置の変更によって親綱の張設位置を変更する必要がない。
【００１５】
ここで、ロープ巻取器は屋根の上面に沿って転動可能なキャスタを有する台車に支持されているため、帯状ロープを介して引張り力が付与されるロープ巻取器は親綱の長さ方向にスムーズに移動し、棟の長さ方向に作業位置をスムーズに変更することができる。
【００１６】
このため、屋根葺材の葺き替えや、既存の屋根にソーラーパネルを設置する等の屋根上での作業を能率よく行なうことができる。
【００１７】
また、作業者が万一足を滑らして落下しはじめると、ロープ巻取器から帯状ロープが急速に引き出され、このとき、ロック機構が作動してロープ巻取リールがロックされるため、作業者が墜落するという危険がなく、屋根上において安全に作業することができる。
【発明の効果】
【００１８】
この発明は、上記のように、棟に沿って親綱を張設し、その親綱に沿ってロープ巻取器を移動自在に連結し、そのロープ巻取器を屋根の上面に沿って転動可能キャスタを有する台車で支持したことにより、そのロープ巻取器から引き出された帯状ロープの先端部を作業者に装着された高所作業用安全帯に係合することによって、屋根上に張設された親綱の張設位置を変更することなく屋根の勾配面の全範囲にわたって作業位置をスムーズに変更することができ、屋根葺材の葺き替えや、既存の屋根にソーラーパネルを設置する等の屋根上での作業を能率よく行なうことができる。
【００１９】
また、ロープ巻取器は、帯状ロープが急速に引き出されるとロック機構が作動してロープ巻取リールをロックするロック機能付きであるため、作業者が墜落するという危険がなく、屋根上において安全に作業することができる。
【図面の簡単な説明】
【００２０】
【図１】この発明に係る屋根作業用安全装置の実施の形態を示す正面図
【図２】ロープ巻取器を支持する台車の平面図
【図３】図２のIII−III線に沿った断面図
【図４】図２のIV−IV線に沿った断面図
【図５】図２に示す台車の分解斜視図
【図６】ロープ巻取器の一部切欠平面図
【発明を実施するための形態】
【００２１】
以下、この発明の実施の形態を図面に基づいて説明する。図１に示すように、屋根１の棟２の長さ方向の両端部には親綱支柱３が立てられ、その一対の親綱支柱３の上端部間に親綱４が張設されている。
【００２２】
親綱４の張設に際し、ここでは、安全フック５を一端に有し、他端部に親綱緊張器６が接続されたロープ７を用い、そのロープ７に一端の安全フック５を一方の親綱支柱３に係合し、他方の親綱支柱３の上部に親綱４の一端に接続された安全フック８を係合し、その親綱４の他端部を親綱緊張器６の形成されたロープ挿入路に挿通して折り返し、その折返し側端部を引く操作により親綱４を緊張させ、その緊張させた親綱４に親綱緊張器６に設けられた図示省略のロック爪を係合させて、親綱４を緊張状態に保持するようにしている。
【００２３】
親綱４には連結ロープ９の一端部に取り付けられたカラビナ１０がスライド自在に連結され、その連結ロープ９の他端部に取り付けられたカラビナ１１にロープ巻取器２０が連結されている。
【００２４】
図６に示すように、ロープ巻取器２０は、ケース２１と、そのケース２１内に組込まれた巻取リール２２と、その巻取リール２２に巻き取られた帯状ロープ２３がケース２１に形成されたロープ引出し口２４から急速に引き出された際に巻取リール２２をロックして帯状ロープ２３の引き出しを停止するロック機構２５とを有しており、上記ケース２１の外周面には連結片２６が設けられ、その連結片２６にカラビナ１１を連結する連結孔２７が形成された従来から周知のものが採用されている。
【００２５】
ここで、巻取リール２２は図示省略したゼンマイばねによって帯状ロープ２３を巻き取る方向に付勢されている。
【００２６】
一方、ロック機構２５は、巻取リール２２のリール軸２２ａに固定されたラチェットホイール２８と、そのラチェットホイール２８の外周囲に設けられた固定ピン２９を中心に揺動自在に支持されたラチェット爪３０と、そのラチェット爪２８をラチェットホイール２８の外周に形成された歯２８ａに対して係合解除する方向にラチェット爪３０を付勢するスプリング３１を有し、上記ラチェット爪３０にはその揺動中心からラチェットホイール２８の周方向に延びる操作片部３２を連設し、帯状ロープ２３が急速に引き出されて巻取リール２２が同図の矢印で示す方向に回転したとき、ラチェットホイール２８の歯２８ａが操作片部３２を瞬時に蹴り上げる作用により、ラチェット爪３０をラチェットホイール２８の外周に向けて揺動させて歯２８ａに係合させるようにしている。
【００２７】
図１に示すように、ロープ巻取器２０は台車４０で支持されている。図２乃至図５に示すように、台車４０は、台車本体４１と、その台車本体４１に支持されたロープ巻取器２０を台車本体４１に固定するコの字形の押え枠４２とからなっている。
【００２８】
台車本体４１は複数の首振り可能なキャスタ４１ａを下面に有し、両側部には下向きに折曲げ片４３が形成され、その折曲げ片４３の折曲げ部位に貫通孔４４が設けられている。押え枠４２は、その両端部が貫通孔４４に挿入されて台車本体４１に支持されたロープ巻取器２０の周囲を覆い、上記折曲げ片４３に形成された上下に長いボルト挿入孔４５に挿入されて押え枠４２の両端部に形成されたねじ孔４６にねじ込まれる蝶ボルト４７の締め付けにより台車本体４１に固定されて、ロープ巻取器２０を台車本体４１に固定している。
【００２９】
ここで、ロープ巻取器２０をより強固に固定するため、台車本体４１の上面両側部にロープ巻取器２０のケース２１を支持する一対のベースプレート４８を取り付け、各ベースプレート４８の上面に複数の位置決め突起４９を設け、その位置決め突起４９をロープ巻取器２０のケース２１の下面に設けられた凹部２１ａに係合させて、ロープ巻取器２０の固定化を図るようにしている。
【００３０】
なお、ベースプレート４８を省略し、台車本体４１に位置決め突起４９を直接設けるようにしてもよい。また、押え枠４２に代えて、面ファスナにより係脱される一対のベルトによりロープ巻取器２０を台車本体４１に固定するようにしてもよい。
【００３１】
ロープ巻取器２０を支持する台車４０は、屋根１の上面に載置されてキャスタ４１ａの転動により屋根１の上面に沿って移動自在とされている。
【００３２】
実施の形態で示す屋根作業用安全装置は上記の構造からなり、屋根葺材の葺き替えや、既存の屋根１にソーラーパネルを設置する等の屋根１上での作業に際しては、図１に示すように、作業者Ｍの腰部に高所作業用安全帯５０を巻き付け、その高所作業用安全帯５０のＤ環にロープ巻取器２０から引き出された帯状ロープ２３の先端部をカラビナ等を介して連結する。
【００３３】
ここで、実施の形態においては、高所作業用安全帯５０として、胴ベルトタイプのものを示したが、ハーネスタイプのものであってもよい。また、帯状ロープ２３は、胴ベルトやハーネスに直接連結してもよい。
【００３４】
上記のような準備作業後において、作業者Ｍが棟２の長さ方向に移動(横移動)すると、帯状ロープ２３を介してロープ巻取器２０に引張り力が付与されるため、そのロープ巻取器２０を支持する台車４０が屋根１の上面に沿ってスムーズに横移動する。
【００３５】
また、台車４０の横移動により連結ロープ９が緊張すると、その連結ロープ９の一端のカラビナ１０が親綱４に沿って移動する。一方、作業者Ｍが屋根１の勾配に沿って軒先方向に移動すると、ロープ巻取器２０から帯状ロープ２３が引き出される。
【００３６】
このように、作業者Ｍは親綱４の張設方向と屋根１の勾配に沿った方向の２方向に自由に移動することができるため、屋根１の勾配面の全体にわたって作業位置をスムーズに変更することができ、その位置の変更によって親綱４の張設位置を変更する必要がないため、屋根上での作業を能率よく行なうことができる。
【００３７】
また、ロープ巻取器２０は、帯状ロープ２３が急速に引き出されるとロック機構２５が作動してロープ巻取リール２２をロックするロック機能付きであるため、作業者Ｍが万一足を滑らしても、帯状ロープ２３で受止められることになるため墜落するという危険がなく、屋根上において安全に作業することができる。
【００３８】
図１に示す実施の形態では、棟２の長さ方向の両端部に親綱支柱３を立て、その親綱支柱３の上端部間の親綱４を張設するようにしたが、新築工事の建物においてはその周囲に足場枠を架設する場合が多いため、その足場枠の上部間に親綱４を張設するようにしてもよい。
【００３９】
また、新築工事での瓦やカラー鋼板等の屋根葺材を葺く場合は、屋根下地が露出する状態にあるため、その屋根下地の妻面側の両端部に金属板の折曲げからなるロープ連結金具をねじ止め等の手段で固定し、そのロープ連結具間に親綱４を渡して、屋根下地の上面に沿うような張設としてもよい。この場合、ロープ巻取器２０にカラビナ等のロープ連結具を取付け、そのロープ連結具を親綱４にスライド自在に連結することで、図１に示す連結ロープ９を不要とすることができる。
【００４０】
ここで、日本瓦を敷き詰めた屋根上での作業においては、ロープ巻取器２０を支持する台車４０の横方向への移動にスムーズさを欠き、あるいは、日本瓦を損傷させる可能性があるため、その場合は、屋根上に板を敷き、その板上で台車４０を移動自在とするのが好ましい。
【符号の説明】
【００４１】
１    屋根
２    棟
４    親綱
２０  ロープ巻取器
２２  巻取リール
２３  帯状ロープ
２５  ロック機構
４０  台車
４１ａ  キャスタ
５０  高所作業用安全帯
【図１】
2012026162.tif 000003
【図２】
2012026162.tif 000004
【図３】
2012026162.tif 000005
【図４】
2012026162.tif 000006
【図５】
2012026162.tif 000007
【図６】
2012026162.tif 000008